(57)【特許請求の範囲】
【請求項１】
本体と、この本体に上方を開口して設けられる収納凹部と、水容器にハンドポンプ部を取り付けて構成されると共に前記収納凹部に挿脱自在に収納されるスプレー容器と、前記収納凹部の底部又は側壁部に設けられて前記スプレー容器を加温するヒータとを有し、該ヒータによって、前記水容器にハンドポンプ部が取り付けられた状態で前記スプレー容器内の水が３０〜５０℃の範囲内で保温されるように構成したことを特徴とする温スプレー装置。
【請求項２】
前記スプレー容器に、このスプレー容器の水容器の内外を連通する空気流通路を形成したことを特徴とする請求項１記載の温スプレー装置。
【発明の詳細な説明】
【０００１】
【発明が属する技術分野】
本発明は、乳幼児、被介護者等の身体を清浄にするために用いられるスプレー容器を適温に温めるための温スプレー装置に関するものである。
【０００２】
【発明が解決しようとする課題】
従来、乳幼児や被介護者の身体を清浄にする手段として、清拭剤を染み込ませた不織布シートなどが知られており、このシートによって身体を清浄にすることが一般的である。しかしながら、これらのシートにおいては、清浄にする部位（例えば臀部や局部等）によっては大量のシートを使用することになるため、コストが高くなってしまうという問題があった。また、乳幼児や被介護者の体質によっては、清拭剤で肌がかぶれてしまうという虞があった。
【０００３】
そして、このような肌のかぶれを防ぐために、刺激の少ない微温湯を脱脂綿・布・不織布・ティッシュペーパー等に含ませて肌を拭いたり、微温湯で肌を湿らせて拭くという方法もある。この場合、スプレー容器や洗面器等の適当な容器に適温の微温湯を入れて、乳幼児や被介護者の所まで持って行くことになる。しかしながら、肌を清浄にする度に適温の微温湯を用意して乳幼児や被介護者の所まで運ばなければならず、微温湯を運んでいる間や肌を清浄にしている間に微温湯が冷めてしまうという虞があった。特に、排便した乳幼児のおしめ替えを保護者が行う場合には、排便に気付いてから微温湯を用意する迄の間、数分間ではあるが、乳幼児は放っておかれるため衛生上好ましくない。
【０００４】
本発明は以上の問題点を解決し、いつでも低刺激の微温湯を用いて肌を清浄にすることができるようにするための装置を提供することを目的とする。
【０００５】
【課題を解決するための手段】
本発明の温スプレー装置は、本体と、この本体に上方を開口して設けられる収納凹部と、水容器にハンドポンプ部を取り付けて構成されると共に前記収納凹部に挿脱自在に収納されるスプレー容器と、前記収納凹部の底部又は側壁部に設けられて前記スプレー容器を加温するヒータとを有し、該ヒータによって、前記水容器にハンドポンプ部が取り付けられた状態で前記スプレー容器内の水が３０〜５０℃の範囲内で保温されるように構成したものである。
【０００６】
本発明は以上のように構成することにより、前記スプレー容器の水容器に水を入れ、この水容器に前記ハンドポンプ部を取り付けて前記収納凹部に収納し、前記収納凹部の底部又は側壁部に設けられた前記ヒータを通電させることで、前記収納凹部に収納された前記スプレー容器内の水が３０〜５０℃の範囲内で保温される。そして、乳幼児や被介護者の肌を清浄にする場合は、前記スプレー容器を前記収納凹部から取り出し、肌に微温湯を直接噴射して汚れを洗い落としたり噴霧して湿らせたりした後、脱脂綿・布・不織布・ティッシュペーパー等で拭き取る、或いは脱脂綿・布・不織布・ティッシュペーパー等に微温湯を噴射又は噴霧して含ませ、乳幼児や被介護者の肌を拭く。
【０００７】
また、本発明の温スプレー装置は、請求項１において、前記スプレー容器に、このスプレー容器の水容器の内外を連通する空気流通路を形成したものである。
【０００８】
本発明は以上のように構成することにより、加温によってスプレー容器の水容器内の空気が膨張しても、空気流通路から水容器外に空気が漏れることで、前記ハンドポンプ部のノズルから水が漏れることを防止できる。
【０００９】
【発明の実施形態】
以下、本発明の実施形態について、図１乃至図３に基づいて説明する。１はスプレー容器たるトリガー式のハンドスプレーであり、ノズル2aを有するハンドポンプ部２と水容器３とで構成されている。この水容器３の容量は３００ml程度であり、少なくとも中央部から底部にかけて略円筒状に形成されている。なお、この水容器３の開口部3aには、空気流通路たる溝3bが形成されている。そして、前記水容器３の開口部3aに前記ハンドポンプ部２を取り付けた際に、前記溝3bによって前記水容器３の内外が連通される。
【００１０】
４は本体であり、この本体４は上本体4a及び下本体4bから構成されている。そして、前記上本体4aのほぼ中央には、収納凹部５が一体に形成されている。この収納凹部５は前記水容器３よりも僅かに径大で有底な略円筒凹状に形成されていると共に、少なくとも前記水容器３の略円筒状に形成された部分が収まる程度の深さを有している。また、この収納凹部５の下部には、ビス止め用のボス６が一体に形成されていると共に、このボス６に対応して、前記下本体4bにビス止め用のボス７が形成されている。そして、前記収納凹部５の底には板状のヒータ８が設けられている。このヒータ８は前記ボス６によって位置決めされていると共に、前記上本体4aに前記下本体4bをビス止めすることで、前記ボス７と収納凹部５底部との間で固定される。また、前記ヒータ８には、伝熱可能な状態でサーマルリードスイッチ９が取り付けられている。このサーマルリードスイッチ９は、前記ヒータ８と電気的に直列に接続されている。なお、10は電源スイッチ、11はＡＣ電源に接続するための電源コードである。
【００１１】
次に、本発明の作用について説明する。なお、本例においては、乳幼児の臀部や局部を対象として保護者が使用するという前提で説明するが、本発明の温スプレー装置の対象者は乳幼児だけでなく、例えば老人、病人、身体障害者等の被介護者に対しても使用が可能であり、使用する部位も臀部や局部に限らない。まず、前記ハンドスプレー１の水容器３に水を注ぎ、前記ハンドポンプ部２を前記水容器３の開口部3aに取り付けた後、前記ハンドスプレー１を前記収納凹部５に収納する。そして、前記電源スイッチ10を閉じることで前記ヒータ８が通電し、このヒータ８によって前記収納凹部５内に収納した前記ハンドスプレー１の水容器３内の水が加温される。なお、前記ヒータ８は、前記サーマルリードスイッチ９によってＯＮ／ＯＦＦ制御される。そして、前記ヒータ８がＯＮ／ＯＦＦ制御されることで、前記水容器３内の水は３０〜５０℃の範囲内、好ましくは乳幼児の体温よりも高い３８〜５０℃の範囲内に温度が保たれる。なお、前記水容器３が加温されることで、この水容器３内の空気が膨張するが、この膨張した空気は前記溝3bから前記水容器３外に漏れるため、前記水容器３内の圧力が高くなることがない。このため、前記水容器３内の圧力上昇による前記ハンドポンプ部２のノズル2aからの水漏れを回避することができる。
【００１２】
排便した乳幼児の臀部や局部を清浄にする場合、保護者は乳幼児の臀部や局部に付着した便を予め拭いておく。そして、前記ハンドスプレー１を前記収納凹部５から取り出して、乳幼児の臀部や局部に微温湯を噴射して便を洗い落としたり噴霧して湿らせた後、脱脂綿・布・不織布・ティッシュペーパー等で拭く。この時、微温湯の温度は３０〜５０℃の範囲内、好ましくは乳幼児の体温よりも高い３８〜５０℃の範囲内に温度が保たれているので、噴射又は噴霧時に乳幼児が微温湯を冷たく感じることがなく、快適に臀部や局部を清浄にすることができる。また、噴射又は噴霧することによって、微温湯が前記ノズル2aから臀部や局部に届くまでの間に微温湯の温度が多少低下するので、水温が５０℃であっても乳幼児が熱さを感じることもない。そして、臀部や局部を清浄にしている時に、使用したおむつを臀部の下に敷いたままにしておけば、便を洗い落とした微温湯を吸収するので後始末が楽である。
【００１３】
以上のように本発明は、本体４のほぼ中央に、ハンドスプレー１の水容器３を収納可能な有底の収納凹部５を一体に形成し、この収納凹部５の底に板状のヒータ８を固定し、このヒータ８をサーマルリードスイッチ９によってＯＮ／ＯＦＦ制御することで、前記水容器３内の水の温度が３０〜５０℃の範囲内で保たれるので、保護者が乳幼児の排便に気付いた時に、前記ハンドスプレー１を前記収納凹部５から取り出して、いつでも適温の微温湯で臀部や局部を清浄にすることができる。
【００１４】
また、本発明は、空気流通路たる溝3bによって前記水容器３の内外が連通されており、この水容器３を加温しても膨張した空気が前記溝3bから前記水容器３外に漏れるので、この水容器３内の圧力上昇による前記ハンドポンプ部２のノズル2aからの水漏れを回避することができる。
【００１５】
なお、本発明は以上の実施形態に限定されるものではなく、発明の要旨の範囲内で種々の変形が可能である。例えば、上記実施形態においては、収納凹部を有底に形成したが、収納凹部を無底に形成して直接ヒータの上に載置するようにしても良い。また、このヒータは板状に形成されているが、ヒータをバンド状に形成して収納凹部の側壁部に巻き付けても良い。また、ハンドスプレーの空気流通路として、水容器の開口部に溝を形成したが、これ以外の構成、例えば孔を形成してもよい。更に、水容器の形状及び大きさが条件を満たしているならば、市販されている汎用のハンドスプレーを使用することも可能である。
【００１６】
【発明の効果】
本発明の温スプレー装置は、本体と、この本体に上方を開口して設けられる収納凹部と、水容器にハンドポンプ部を取り付けて構成されると共に前記収納凹部に挿脱自在に収納されるスプレー容器と、前記収納凹部の底部又は側壁部に設けられて前記スプレー容器を加温するヒータとを有し、該ヒータによって、前記水容器にハンドポンプ部が取り付けられた状態で前記スプレー容器内の水が３０〜５０℃の範囲内で保温されるように構成したものであり、前記スプレー容器の水容器に水を入れ、この水容器に前記ハンドポンプ部を取り付けて前記収納凹部に収納し、前記収納凹部の底部又は側壁部に設けられた前記ヒータを通電させることで、前記収納凹部に収納された前記スプレー容器内の水が３０〜５０℃の範囲内で保温され、乳幼児や被介護者の肌を清浄にする場合は、前記スプレー容器を前記収納凹部から取り出し、肌に微温湯を直接噴射して汚れを洗い落としたり噴霧して湿らせたりした後、脱脂綿・布・不織布・ティッシュペーパー等で拭き取る、或いは脱脂綿・布・不織布・ティッシュペーパー等に微温湯を噴射又は噴霧して含ませ、乳幼児や被介護者の肌を拭くので、適温の低刺激な微温湯で、いつでも肌を清浄にすることができ、肌のかぶれを防ぐことができる。
【００１７】
また、本発明の温スプレー装置は、請求項１において、前記スプレー容器に、このスプレー容器の水容器の内外を連通する空気流通路を形成したものであり、加温によってスプレー容器の水容器内の空気が膨張しても、空気流通路から水容器外に空気が漏れることで、前記ハンドポンプ部のノズルから水が漏れることを防止できるので、床等を濡らすことがなく、任意の場所で常に電源を入れたまま前記スプレー容器内の水を加温しておくことができる。
【図面の簡単な説明】
【図１】  本発明の一実施例を示す断面図である。
【図２】  同上、斜視図である。
【図３】  同上、回路図である。
【図４】  同上、水容器の要部拡大断面図である。
【符号の説明】
１  ハンドスプレー（スプレー容器）
２  ハンドポンプ部
2a  ノズル
３  水容器
3b  溝（空気流通路）
４  本体
５  収納凹部
８  ヒータ
【図１】
0003813784.tif 000002
【図２】
0003813784.tif 000003
【図３】
0003813784.tif 000004
【図４】
0003813784.tif 000005